(57)【特許請求の範囲】
【請求項１】
チャネルフィードバック情報の送信方法であって、
送信ステーションは、送信機会を得た後に受信ステーションに無線フレームを送信して、前記受信ステーションにチャネルフィードバック情報を送信するように要求することと、
前記受信ステーションは、送信ステーションから送信された無線フレームを受信した後、送信終了時間点が前記送信機会の送信時間閾値の所定の終了時間点を超えることを許される、チャネルフィードバック情報をキャリーする無線フレームを送信ステーションに送信することと、を含む
ことを特徴とする、前記方法。
【請求項２】
前記受信ステーションが送信したチャネルフィードバック情報をキャリーする無線フレームには、一部または全部のチャネルフィードバック情報がキャリーされることを含むことを特徴とする
請求項１に記載の方法。
【請求項３】
前記送信ステーションが送信された無線フレームにキャリーされる予約時間の指した終了時間点は、送信時間リミット（ＴＸＯＰ  Ｌｉｍｉｔ）の指した終了時間点を超えることが許されることを特徴とする
請求項１に記載の方法。
【請求項４】
前記受信側がチャネルフィードバック情報をキャリーする無線フレームを送信した終了時間点は、前記予約時間の指した終了時間点を超えることが許されることを特徴とする
請求項３に記載の方法。
【請求項５】
前記方法は、
前回のチャネルフィードバック情報の送信が完了した後、前記送信ステーションが、現在の時間点が送信時間閾値の指した終了時間点を超えていない場合、無線フレームを引き続き送信して現在または他の受信ステーションにチャネルフィードバック情報を送信するように要求することをさらに含むことを特徴とする
請求項１に記載の方法。
【請求項６】
前回のチャネルフィードバック情報の送信が完了した後、前記送信ステーションは、チャネルフィードバック情報を要求するための1つの無線フレームを送信した送信終了時間点が、送信時間閾値の指した終了時間点を超えていない場合、現在または他の受信ステーションに無線フレームを送信して、現在または他の受信ステーションにチャネルフィードバック情報を送信するように要求することをさらに含むことを特徴とする
請求項５に記載の方法。
【請求項７】
前記送信ステーションが前記受信ステーションに送信した無線フレームは、空データパケット通知（ＮＤＰＡ）フレームと空データパケット（ＮＤＰ）フレームであり、または、ビームフォーミングレポートポール（Ｂｅａｍｆｏｒｍｉｎｇ  Ｒｅｐｏｒｔ  Ｐｏｌｌ）フレームであることを特徴とする
請求項１に記載の方法。
【請求項８】
チャネルフィードバック情報の送信システムであって、
送信機会を得た後に受信ステーションに無線フレームを送信して、前記受信ステーションにチャネルフィードバック情報を送信するように要求することに用いられる1つの送信ステーションと、
送信ステーションから送信された無線フレームを受信した後、送信終了時間点が前記送信機会の送信時間閾値の所定の終了時間点を超えることが許される、チャネルフィードバック情報をキャリーする無線フレームを送信ステーションに送信することに用いられる１つまたは複数の受信ステーションと、を含むことを特徴とする、前記システム。
【請求項９】
前記受信ステーションが送信したチャネルフィードバック情報をキャリーする無線フレームには、一部または全部のチャネルフィードバック情報がキャリーされることを特徴とする
請求項８に記載のシステム。
【請求項１０】
前記送信ステーションから送信された無線フレームにキャリーされる予約時間の指した終了時間点は、送信時間リミット（ＴＸＯＰ  Ｌｉｍｉｔ）の指した終了時間点を超えることが許されることを特徴とする
請求項８に記載のシステム。
【請求項１１】
前記受信側がチャネルフィードバック情報をキャリーする無線フレームを送信した終了時間点は、前記予約時間の指した終了時間点を超えることが許されることを特徴とする
請求項１０に記載のシステム。
【請求項１２】
前回のチャネルフィードバック情報送信が完了した後、前記送信ステーションは、現在時間点が送信時間閾値の指した終了時間点を超えていない場合、無線フレームを引き続き送信して現在または他の受信ステーションにチャネルフィードバック情報を送信するように要求することを特徴とする
請求項８に記載のシステム。
【請求項１３】
前回のチャネルフィードバック情報送信が完了した後、前記送信ステーションは、チャネルフィードバック情報を要求するための1つの無線フレームを送信した送信終了時間点が、送信時間閾値の指した終了時間点を超えていない場合、現在または他の受信ステーションに無線フレームを送信して、現在または他の受信ステーションにチャネルフィードバック情報を送信するように要求することを特徴とする
請求項１２に記載のシステム。
【請求項１４】
前記送信ステーションが前記受信ステーションに送信した無線フレームは、空データパケット通知（ＮＤＰＡ）フレームと空データパケット（ＮＤＰ）フレームであり、または、ビームフォーミングレポートポール（Ｂｅａｍｆｏｒｍｉｎｇ  Ｒｅｐｏｒｔ  Ｐｏｌｌ）フレームであることを特徴とする
請求項８に記載のシステム。
【発明の詳細な説明】
【技術分野】
【０００１】
本発明は通信分野に関し、特にチャネルフィードバック情報の送信方法及びシステムに関する。
【背景技術】
【０００２】
現在、無線ネットワーク分野において無線ローカルエリアネットワーク（Ｗｉｒｅｌｅｓｓ  Ｌｏｃａｌ  Ａｃｃｅｓｓ  Ｎｅｔｗｏｒｋ：ＷＬＡＮ）が急成長し、ＷＬＡＮカバレッジに対する要求が日々増長し、ＷＬＡＮのスループットに対する要求もますます高くなる。電気電子学会業界規格ＩＥＥＥ８０２．１１グループにおいて、相次いで、８０２．１１ａ，８０２．１１ｂ，８０２．１１ｇなど一連の最も一般的なＷＬＡＮ技術標準が定義され、その後、現有８０２．１１技術改善に関する規格を発展させるための他のタスクグループが現れ、例えば、８０２．１１ｎタスクグループが高スループット（Ｈｉｇｈ  Ｔｈｒｏｕｇｈｐｕｔ：ＨＴ）の要求を提出し、６００Ｍｂｐｓほどのデータ速度をサポートしており、８０２．１１ａｃタスクグループがさらに超高スループット（Ｖｅｒｙ  Ｈｉｇｈ  Ｔｈｒｏｕｇｈｐｕｔ：ＶＨＴ）の概念を提出し、より大きいチャネル帯域幅を導入することによってデータ速度を１Ｇｂｐｓまでアップグレードする。
【０００３】
８０２．１１において、１つのアクセスポイント（Ａｃｃｅｓｓ  Ｐｏｉｎｔ：ＡＰ）及び当該ＡＰと関連する複数のステーション（Ｓｔａｔｉｏｎ：ＳＴＡ）が１つの基本サービスセット（Ｂａｓｉｃ  Ｓｅｒｖｉｃｅ  Ｓｅｔ：ＢＳＳ）を形成する。
【０００４】
８０２．１１には、分散協調機能（Ｄｉｓｔｒｉｂｕｔｅｄ  Ｃｏｏｒｄｉｎａｔｉｏｎ  Ｆｕｎｃｔｉｏｎ：ＤＣＦ）とポイント調整機能（Ｐｏｉｎｔ  Ｃｏｏｒｄｉｎａｔｉｏｎ  Ｆｕｎｃｔｉｏｎ：ＰＣＦ）、及び、当該２種類の操作モードに対する改進である、強化型分散協調アクセス機能（Ｅｎｈａｎｃｅｄ  Ｄｉｓｔｒｉｂｕｔｅｄ  Ｃｈａｎｎｅｌ  Ａｃｃｅｓｓ：ＥＤＣＡ）とハイブリッド調整機能制御チャネルアクセス機能（Ｈｙｂｒｉｄ  Ｃｏｏｒｄｉｎａｔｉｏｎ  ｆｕｎｃｔｉｏｎ  Ｃｏｎｔｒｏｌｌｅｄ  ｃｈａｎｎｅｌ  Ａｃｃｅｓｓ：ＨＣＣＡ）が定義されている。ここで、ＤＣＦは、最も基本的な操作モードであり、衝突回避機能付きキャリア感知多重アクセス（ＣＳＭＡ  ｗｉｔｈ  Ｃｏｌｌｉｓｉｏｎ  Ａｖｏｉｄａｎｃｅ：ＣＳＭＡ／ＣＡ）メカニズムを利用して複数のステーションに無線チャネルを共有させる。ＥＤＣＡは強化型操作モードであり、ＣＳＭＡ／ＣＡメカニズムを利用して、複数の異なるプライオリティアクセスカテゴリに無線チャネルを共有させ、それに、１つの送信機会（Ｔｒａｎｓｍｉｓｓｉｏｎ  Ｏｐｐｏｒｔｕｎｉｔｙ：ＴＸＯＰ）を予約し、即ち、１つの送信時間長（ＴＸＯＰ  Ｄｕｒａｔｉｏｎ）を予約する。サービス品質ＱｏＳ要求を有する各プライオリティキューがそれぞれ１つの送信時間リミット（ＴＸＯＰ  ｌｉｍｉｔ）パラメータを有し、ＴＸＯＰ  ｌｉｍｉｔは、そのプライオリティキューの取得したＴＸＯＰに対応する最大送信時間長を表し、送信時間を予約する際に、送信ネットワークアロケーションベクトルカウンタ（ＴＸＮＡＶ  Ｔｉｍｅｒ）を設置しておき、ＴＸＮＡＶ  Ｔｉｍｅｒはカウンタであり、その初期値はＴＸＯＰＤｕｒａｔｉｏｎに設置され、ＴＸＯＰ  Ｄｕｒａｔｉｏｎは、送信時間長に基づいて設置されたものであり、必ずＴＸＯＰ  ｌｉｍｉｔの以下でなければならない。ＴＸＯＰ  ｌｉｍｉｔとＴＸＮＡＶ  Ｔｉｍｅｒに設置された初期時間は送信時間閾値と総称される。
【０００５】
従来技術において、チャネル情報測定のために、新しいフレーム交換シーケンスが定義され、具体的には、送信ステーションがチャネル測定を行う空データパケット通知（Ｎｕｌｌ  Ｄａｔａ  Ｐａｃｋｅｔ  Ａｎｎｏｕｎｃｅｍｅｎｔ：ＮＤＰＡ）フレームを送信し、そして、ＮＤＰＡフレームが、終了したショートインターフレームスペース（Ｓｈｏｒｔ  Ｉｎｔｅｒｆｒａｍｅ  Ｓｐａｃｅ：ＳＩＦＳ）を送信した後に、空データパケット（Ｎｕｌｌ  Ｄａｔａ  Ｐａｃｋｅｔ：ＮＤＰ）フレームを送信し、ＮＤＰＡフレームが指示した最初のステーションがＮＤＰＡフレームとＮＤＰフレームのＳＩＦＳを受信した後、チャネルフィードバック情報（Ｓｏｕｎｄｉｎｇ  Ｆｅｅｄｂａｃｋ）を返信することがデフォルトされている。図１に示すように、複数の受信ステーションがある場合、最初のステーションにてフィードバックがデフォルトされることを除いて、他の受信ステーションにて送信ステーションのビームフォーミングレポートポール（Ｂｅａｍｆｏｒｍｉｎｇ  Ｒｅｐｏｒｔ  Ｐｏｌｌ）を待ってチャネルフィードバック情報を送信する。
【０００６】
上記ステーションが行ったチャネル情報の測定プロセスは、通信双方に対して非常に重要であり、通信双方が高効率的に後続データの業務通信を保証することを目的とすることである。従来技術において、通常、送受信双方が通信を行う時に、送信側が推定するフレームの送信に必要な時間長及び受信側の当該フレームの応答用フレームの時間長、それに必要なインターフレームスペースの必要な総時間長を加えて送信時間閾値を超えない場合となるではなければ、このフレームを送信することができない。しかし、チャネル情報測定プロセスにとっては、異なるチャネル情況は、受信ステーションがフィードバックしたチャネルフィードバック情報のデータ量とデータ送信速度が異なり、このように、送信側は、受信ステーションのフィードバックしたチャネルフィードバック情報のデータ量及び速度を推定できなく、それで受信側のフィードバックしたチャネルフィードバック情報の時間が送信時間閾値を超えるかどうかについても分からなくなる。この場合、送信側は無線フレームを送信しなくて受信側がチャネルフィードバック情報を要求するように簡単に処理すれば、タイムリーにチャネルフィードバック情報を得ることができない。
【発明の概要】
【発明が解決しようとする課題】
【０００７】
これを鑑みて、本発明の主な目的は、送信側がタイムリーに受信側のチャネルフィードバック情報を得ることができない技術問題を解決するために、チャネルフィードバック情報の送信方法及びシステムを提供することにある。
【課題を解決するための手段】
【０００８】
前記目的を達するために、本発明の技術的スキームは次のように実現される。
【０００９】
チャネルフィードバック情報の送信方法において、
送信ステーションは、送信機会を得た後に受信ステーションに無線フレームを送信して、前記受信ステーションにチャネルフィードバック情報を送信するように要求することと、
前記受信ステーションは、送信ステーションから送信された無線フレームを受信した後、送信終了時間点が前記送信機会の送信時間閾値の所定の終了時間点を超えることを許される、チャネルフィードバック情報をキャリーする無線フレームを送信ステーションに送信することと、を含む。
【００１０】
好ましくは、前記受信ステーションが送信したチャネルフィードバック情報をキャリーする無線フレームには、一部または全部のチャネルフィードバック情報がキャリーされる。
【００１１】
好ましくは、前記送信ステーションから送信された無線フレームにキャリーされる予約時間が指した終了時間点は、送信時間リミット（ＴＸＯＰ  Ｌｉｍｉｔ）の指した終了時間点を超えることが許される。さらに、前記受信側がチャネルフィードバック情報をキャリーする無線フレームを送信した終了時間点は、前記予約時間の指した終了時間点を超えることが許される。
【００１２】
好ましくは、前記方法において、
前回のチャネルフィードバック情報の送信が完了した後、前記送信ステーションが、現在の時間点が送信時間閾値の指した終了時間点を超えていない場合、無線フレームを引き続き送信して現在または他の受信ステーションにチャネルフィードバック情報を送信するように要求することをさらに含む。
【００１３】
好ましくは、前回のチャネルフィードバック情報の送信が完了した後、前記送信ステーションは、チャネルフィードバック情報を要求するための1つの無線フレームを送信した送信終了時間点が、送信時間閾値の指した終了時間点を超えていない場合、現在または他の受信ステーションに無線フレームを送信して、現在または他の受信ステーションにチャネルフィードバック情報を送信するように要求することをさらに含む。
【００１４】
好ましくは、前記送信ステーションが前記受信ステーションに送信した無線フレームは、空データパケット通知（ＮＤＰＡ）フレームと空データパケット（ＮＤＰ）フレームであり、または、ビームフォーミングレポートポール（Ｂｅａｍｆｏｒｍｉｎｇ  Ｒｅｐｏｒｔ  Ｐｏｌｌ）フレームである。
【００１５】
本発明方法実施例に基づいて、本発明は、送信機会を得た後に受信ステーションに無線フレームを送信して、前記受信ステーションにチャネルフィードバック情報を送信するように要求することに用いられる1つの送信ステーションと、送信ステーションから送信された無線フレームを受信した後、送信終了時間点が前記送信機会の送信時間閾値の所定の終了時間点を超えることが許される、チャネルフィードバック情報をキャリーする無線フレームを送信ステーションに送信することに用いられる1つまたは複数の受信ステーションと、を含むチャネルフィードバック情報の送信システムをさらに提供する。
【００１６】
本発明の技術スキームは、チャネルフィードバック情報をキャリーする無線フレームが送信時間閾値の指した終了時間点を超えることが許され、送信側が受信ステーションのフィードバックしたチャネルフィードバック情報のデータ量及び速度を推定できなく、受信側のチャネルフィードバック情報をフィードバックした時間が送信時間閾値を超えるかどうかを推定できない場合でも、依然としてタイムリーに受信側のチャネルフィードバック情報を得ることができ、それによって、送信側と受信側の間の通信を順調に行われるようにさせる。
【図面の簡単な説明】
【００１７】
【図１】従来のチャネルフィードバック情報のフィードバックプロセスを示す図である。
【図２】本発明が提供したチャネルフィードバック情報の送信方法のフローチャートである。
【発明を実施するための形態】
【００１８】
図２に示すように、本発明が提供したチャネルフィードバック情報の送信方法の基本的な考え及び実現プロセスは、具体的に次のようなステップを含む。
【００１９】
ステップＳ１：送信ステーションは、チャネルフィードバック情報を送信するように要求する無線フレームを受信ステーションに送信する。
【００２０】
ステップＳ２：受信ステーションは、送信ステーションから送信されたチャネルフィードバック情報を要求する無線フレームを受信した後、送信終了時間点が上記送信機会の送信時間閾値の所定の終了時間点を超えることが許される、チャネルフィードバック情報をキャリーする無線フレームを送信ステーションに送信する。
【００２１】
本発明の技術的スキームによれば、従来技術における送信時間閾値がチャネルフィードバック情報のフィードバックに対する制限を回避し、送信側は、受信側のチャネルフィードバック情報のフィードバック時間が送信時間閾値を超えるのがどうかを推定できない場合でも、依然としてタイムリーに受信側のチャネルフィードバック情報を得ることができるようにさせる。
【００２２】
本発明の目的、技術的スキーム及び利点をさらにはっきりさせるために、これから実施例を挙げて付図を参照しながら、本発明をさらに詳しく説明する。
【００２３】
実施例１
ステーションＡ（送信ステーション）が１つまたは複数のステーション（受信ステーション）と通信を行う。
【００２４】
ステップ１０１：ステーションＡは、ＮＤＰＡフレームを送信し、かつＮＤＰＡフレームが送信終了されたＳＩＦＳの後にＮＤＰフレームを送信して、前記受信ステーションに予約時間内にチャネルフィードバック情報を送信するように要求する。
【００２５】
ステップ１０２：前記ＮＤＰＡフレームが指示した第１の受信ステーションは、ＮＤＰＡフレームとＮＤＰフレームを受信して且つＳＩＦＳを経た後にステーションＡにチャネルフィードバック情報をフィードバックするのがデフォルトされる。
【００２６】
前記ＮＤＰＡフレームにキャリーされる予約時間は、受信ステーションがチャネルフィードバック情報をフィードバックした時間である。本発明では、予約時間の指した時間終了点がＴＸＯＰ  ｌｉｍｉｔの指した時間終了点を超えるのを許すから、今回のチャネルフィードバック情報の送信がＴＸＯＰ  ｌｉｍｉｔに制限されない。
【００２７】
第１の受信ステーションがチャネルフィードバック情報を送信した後、ＴＸＯＰ  ｌｉｍｉｔを超えた場合、ステーションＡは第２ステーションにＢｅａｍｆｏｒｍｉｎｇ  Ｒｅｐｏｒｔ  Ｐｏｌｌを送信しない。
【００２８】
実施例２
ステーションＡ（送信ステーション）が１つまたは複数のステーション（受信ステーション）と通信を行う。
【００２９】
ステップ２０１：ステーションＡは、ＮＤＰＡフレームを送信し、それに、ＮＤＰＡフレームが送信終了されたＳＩＦＳの後に、ＮＤＰフレームを送信して、前記受信ステーションに予約時間内にチャネルフィードバック情報を送信するように要求する。
【００３０】
ステップ２０２：前記ＮＤＰＡフレームが指示した第１の受信ステーションは、ＮＤＰＡフレームとＮＤＰフレームを受信して且つＳＩＦＳを経た後にステーションＡにチャネルフィードバック情報をフィードバックするのがデフォルトされる。
【００３１】
ステップ２０３：第１の受信ステーションがチャネルフィードバック情報をフィードバック完了した後、もう１つのＳＩＦＳを経った後にＴＸＯＰ  ｌｉｍｉｔの指した時間終了点をまだ超えていない場合、または、現在の時間点がＴＸＯＰ  ｌｉｍｉｔの指した時間終了点をまだ超えていなく、ステーションＡが１つのＳＩＦＳを待った後、残りのＴＸＯＰ時間長が１つのＢｅａｍｆｏｒｍｉｎｇ  Ｒｅｐｏｒｔ  Ｐｏｌｌの送信時間長より小さくないのを確認した場合、ステーションＡは、第２の受信ステーションにＢｅａｍｆｏｒｍｉｎｇ  Ｒｅｐｏｒｔ  Ｐｏｌｌを送信して、第２の受信ステーションにチャネルフィードバック情報を送信するように要求する。
【００３２】
ステップ２０４：第２の受信ステーションがＢｅａｍｆｏｒｍｉｎｇ  Ｒｅｐｏｒｔ  Ｐｏｌｌを受信して且つＳＩＦＳを待った後、ステーションＡにチャネルフィードバック情報をフィードバックする。
【００３３】
前記Ｂｅａｍｆｏｒｍｉｎｇ  Ｒｅｐｏｒｔ  Ｐｏｌｌフレームにキャリーされる予約時間は、受信側がチャネルフィードバック情報をフィードバックした時間である。予約時間の指した時間終了点がＴＸＯＰ  ｌｉｍｉｔの指した時間終了点を超えることを許すから、今回のチャネルフィードバック情報の送信がＴＸＯＰ  ｌｉｍｉｔに制限されない。
【００３４】
第２の受信ステーションがチャネルフィードバック情報をフィードバック完了した後、ＴＸＯＰ  ｌｉｍｉｔの指した時間終了点をまだ超えていない場合、ステーションＡは引き続き第３の受信ステーションにＢｅａｍｆｏｒｍｉｎｇ  Ｒｅｐｏｒｔ  Ｐｏｌｌｔ    Ｐｏｌｌを送信して、それにチャネルフィードバック情報をフィードバックするように要求しており、そうしないと、第２の受信ステーションの送信が完了した後、ステーションＡがＢｅａｍｆｏｒｍｉｎｇ  Ｒｅｐｏｒｔ  Ｐｏｌｌを送信しない。
【００３５】
実施例３
ステーションＡ（送信ステーション）が１つまたは複数のステーション（受信ステーション）と通信を行う。
【００３６】
ステップ３０１：ステーションＡは、ＮＤＰＡフレームを送信し、それに、ＮＤＰＡフレームが送信終了されたＳＩＦＳの後にＮＤＰフレームを送信して、前記受信ステーションに予約時間内にチャネルフィードバック情報を送信するように要求する。
【００３７】
ステップ３０２：前記ＮＤＰＡフレームが指示した第１の受信ステーションは、ＮＤＰＡフレームとＮＤＰフレームを受信して且つＳＩＦＳを経た後にステーションＡにチャネルフィードバック情報をフィードバックするのがデフォルトされる。
【００３８】
ステップ３０３：ある受信ステーションがチャネルフィードバック情報をフィードバック完了した後、この受信ステーションが一部または全部のチャネルフィードバック情報を再送するのが必要とする場合、１つのＳＩＦＳまたはポイント協調機能インターフレームスペース（Ｐｏｉｎｔ  ｃｏｏｒｄｉｎａｔｉｏｎ  ｆｕｎｃｔｉｏｎ  Ｉｎｔｅｒｆｒａｍｅ  Ｓｐａｃｅ：ＰＩＦＳ）を経った後にＴＸＯＰ  ｌｉｍｉｔの指した時間終了点をまだ超えていなく、または、現在の時間点がＴＸＯＰｌｉｍｉｔの指した時間終了点をまだ超えていなく、ステーションＡは、１つのＳＩＦＳまたはＰＩＦＳを待った後、残りのＴＸＯＰ時間長が１つのＢｅａｍｆｏｒｍｉｎｇ  Ｒｅｐｏｒｔ  Ｐｏｌｌの送信時間長より小さくないと確認した場合、ステーションＡはその受信ステーションにＢｅａｍｆｏｒｍｉｎｇ  Ｒｅｐｏｒｔ  Ｐｏｌｌを送信して、その受信ステーションにチャネルフィードバック情報を送信するように要求する。
【００３９】
ステップ３０４：その受信ステーションはＢｅａｍｆｏｒｍｉｎｇ  Ｒｅｐｏｒｔ  Ｐｏｌｌを受信して且つＳＩＦＳを待った後、ステーションＡにチャネルフィードバック情報をフィードバックする。
【００４０】
前記Ｂｅａｍｆｏｒｍｉｎｇ  Ｒｅｐｏｒｔ  Ｐｏｌｌフレームにキャリーされる予約時間は、受信ステーションがチャネルフィードバック情報をフィードバックした時間である。予約時間の指した時間終了点がＴＸＯＰ  ｌｉｍｉｔの指した時間終了点を超えることを許すから、今回のチャネルフィードバック情報の送信がＴＸＯＰ  ｌｉｍｉｔに制限されない。
【００４１】
ステップ３０５：その受信ステーションがチャネルフィードバック情報をフィードバック完了した後、ＴＸＯＰ  ｌｉｍｉｔの指した時間終了点をまだ超えていない場合、ステーションＡは引き続き次の受信ステーションにＢｅａｍｆｏｒｍｉｎｇ  Ｒｅｐｏｒｔ  Ｐｏｌｌを送信して、それにチャネルフィードバック情報をフィードバックするように要求しており、そうしないと、その受信ステーションが再送完了した後、ステーションＡはＢｅａｍｆｏｒｍｉｎｇ  Ｒｅｐｏｒｔ  Ｐｏｌｌを送信しない。
【００４２】
ＴＸＯＰ  ＤｕｒａｔｉｏｎがＴＸＯＰ  ｌｉｍｉｔ以下の値であるため、上記３つの実施例におけるＴＸＯＰ  ｌｉｍｉｔがＴＸＮＡＶ  Ｔｉｍｅｒ又はＴＸＯＰ  Ｄｕｒａｔｉｏｎであってもよいことは理解であろう。
【００４３】
実施例４
ステーションＡ（送信ステーション）が１つまたは複数のステーション（受信ステーション）と通信を行う。
【００４４】
ステップ４０１：ステーションＡは、ＮＤＰＡフレームを送信し、それに、ＮＤＰＡフレームが送信終了されたＳＩＦＳの後にＮＤＰフレームを送信して、前記受信ステーションに予約時間内にチャネルフィードバック情報を送信するように要求する。
【００４５】
ステップ４０２：前記ＮＤＰＡフレームが指示した第１の受信ステーションは、ＮＤＰＡフレームとＮＤＰフレームを受信して且つＳＩＦＳを経た後にステーションＡにチャネルフィードバック情報をフィードバックするのがデフォルトされる。
【００４６】
ステーションＡが送信した無線フレームにキャリーされる予約時間は、受信側よる見積のチャネル情報フィードバック時間によって設置されたものであり、予約時間がＴＸＯＰ  ｌｉｍｉｔを超えることが許される。ステーションＡは１つの送信ネットワークアロケーションベクトルカウンタ（ＴＸＮＡＶ  Ｔｉｍｅｒ）を有し、このカウンタの初期値は予約時間即ちＴＸＯＰ  Ｄｕｒａｔｉｏｎに設置され、このカウンタが０である時、依然として受信側が引き続きチャネルフィードバック情報を送信することが許される。
【００４７】
実施例５
上記方法実施例に基づいて、本発明の実施例では、上記方法実施例における前記一つの送信ステーション及び一つまたは複数の受信ステーションを含むチャネルフィードバッグ情報の送信システムをさらに提出し、前記送信ステーションは、受信ステーションに無線フレームを送信して、前記受信ステーションにチャネルフィードバック情報を送信するように要求することに用いられ、前記受信ステーションは、送信ステーションから送信された無線フレームを受信した後、送信時間閾値の指した時間終了点を超えることが許される、チャネルフィードバック情報をキャリーする無線フレームを送信ステーションに送信することに用いられる。
【００４８】
当該システム実施例が上記方法実施例に基づいて実現されるため、そのシステムに含まれる送信ステーションと受信ステーションはそれぞれ上記方法実施例を実現するために設置されるものであり、その機能は全て上記方法実施例のステップのプロセスから導出でき、スペースを節約するために、ここで繰り返し説明が不要である。
【００４９】
以上は、本発明の最適的な実施例に過ぎなく、本発明の保護範囲を制限することではない。
【産業上の利用可能性】
【００５０】
本発明は、チャネルフィードバック情報をキャリーする無線フレームが送信時間閾値の指した時間終了点を超えることが許され、送信側が受信ステーションのフィードバックしたチャネルフィードバック情報のデータ量及び速度を推定できなく、受信側のチャネルフィードバック情報をフィードバックした時間が送信時間閾値を超えるかどうかを推定できない場合でも、依然としてタイムリーに受信側のチャネルフィードバック情報を得ることができ、それによって、送信側と受信側の間の通信を順調に行われるようにさせる。
【図１】
0005698414.tif 000002
【図２】
0005698414.tif 000003